(57)【要約】【課題】  本発明は、装置全体としてメモリが全容量分残っているときにはそのことを正確に通知できるようにする。【解決手段】  本発明は、データを記憶するフラッシュメモリ２１と、フラッシュメモリ２１の使用状態を検出する制御部２０と、当該制御部２０により使用状態が未使用状態であることを検出したとき、フラッシュメモリ２１が全容量分を残していることを「１００％」のメッセージ７９を表示することにより、フラッシュメモリ２１が僅かにでも使用されていて全容量は残っていないのか、或いはフラッシュメモリ２１が一切使用されておらず完全に全容量が残っているのかをユーザに対して正確に認識させることができる。【選択図】        図５
2007025824.tif 000002
【特許請求の範囲】
【請求項１】
データを記憶するメモリと、
上記メモリの使用状態を検出する検出手段と、
上記検出手段により上記使用状態が未使用状態であることを検出したとき、上記メモリが全容量分残っていることを通知する通知手段と
を具えることを特徴とする情報処理装置。
【請求項２】
上記通知手段は、上記メモリが全容量分残っていることを「100%」の文字表示によって上記通知する
ことを特徴とする請求項１に記載の情報処理装置。
【請求項３】
上記検出手段は、上記メモリの記録領域が最大使用可能であるときに上記未使用状態であると判断する
ことを特徴とする請求項１に記載の情報処理装置。
【請求項４】
上記検出手段は、上記メモリに対して初期化処理が行われたときに上記未使用状態であると判断する
ことを特徴とする請求項１に記載の情報処理装置。
【請求項５】
上記通知手段は、上記メモリが使用中状態であることを検出したとき、上記「100%」の文字表示から使用割合を示すバー表示に切り換える
ことを特徴とする請求項２に記載の情報処理装置。
【請求項６】
上記通知手段は、上記メモリの残容量が所定時間以下であることを検出したとき、上記バー表示から上記残容量を示した時間表示に切り換える
ことを特徴とする請求項５に記載の情報処理装置。
【請求項７】
上記情報処理装置は、
外部からの指示に応じて上記バー表示から録音可能残時間表示に切り換える表示切換制御手段
を具えることを特徴とする請求項５に記載の情報処理装置。
【請求項８】
上記通知手段は、上記メモリが使用中状態であることを検出したとき、上記「100%」の文字表示から使用割合を示すバー表示に切り換え、上記メモリの残容量が所定時間以下であることを検出したとき、上記バー表示から上記残容量を示した時間表示に切り換える
ことを特徴とする請求項２に記載の情報処理装置。
【請求項９】
データを記憶するメモリの使用状態を検出する検出ステップと、
上記検出ステップにより上記使用状態が未使用状態であることを検出したとき、上記メモリが全容量分残っていることを通知する通知ステップと
を具えることを特徴とするメモリ状態通知方法。
【請求項１０】
情報処理装置に対して、
データを記憶するメモリの使用状態を検出する検出ステップと、
上記検出ステップにより上記使用状態が未使用状態であることを検出したとき、上記メモリが全容量分残っていることを通知する通知ステップと
を実行させることを特徴とするメモリ状態通知プログラム。
【請求項１１】
データを記憶するメモリの使用状態が未使用状態であることを検出したとき、上記メモリが全容量分残っていることを「100%」の文字により表示手段に表示する表示ステップと、
上記メモリが使用中状態であることを検出したとき、上記「100%」の文字表示から使用割合を示すバー表示に切り換える表示切換ステップと
を実行することを特徴とするグラフィカルユーザインタフェース。
【請求項１２】
上記表示切換ステップでは、上記メモリの残容量が所定時間以下であることを検出したとき、上記バー表示から上記残容量を示した時間表示に切り換える
ことを特徴とする請求項１１に記載のグラフィカルユーザインタフェース。
【発明の詳細な説明】
【技術分野】
【０００１】
本発明は、情報処理装置に関し、例えば記録媒体又は記憶媒体の残容量を表示する電子機器に適用して好適なものである。
【背景技術】
【０００２】
従来、電子機器として、複数の機能毎にメモリの残量を表示するようになされた画像形成装置がある（例えば、特許文献１参照）。
【特許文献１】特開平10-190918号公報
【発明の開示】
【発明が解決しようとする課題】
【０００３】
ところでかかる構成の画像形成装置においては、複数の機能毎にそれぞれ独立したメモリの残量を視覚的に表示することはできるが、装置全体としてメモリが全容量分残っているか否かを正確に認識することはできなかった。
【０００４】
本発明は以上の点を考慮してなされたもので、装置全体としてメモリが全容量分残っているときにはそのことを正確に通知し得る情報処理装置を提案しようとするものである。
【課題を解決するための手段】
【０００５】
かかる課題を解決するため本発明の情報処理装置においては、データを記憶するメモリと、メモリの使用状態を検出する検出手段と、当該検出手段により使用状態が未使用状態であることを検出したとき、メモリが全容量分残っていることを通知する通知手段とを設けることにより、メモリが僅かにでも使用されていて全容量は残っていないのか、或いはメモリが一切使用されておらず完全に全容量が残っているのかをユーザに対して正確に認識させることができる。
【０００６】
また本発明のメモリ状態通知方法においては、データを記憶するメモリの使用状態を検出する検出ステップと、当該検出ステップにより使用状態が未使用状態であることを検出したとき、メモリが全容量分残っていることを通知する通知ステップとを設けることにより、メモリが僅かにでも使用されていて全容量は残っていないのか、或いはメモリが一切使用されておらず完全に全容量が残っているのかをユーザに対して正確に認識させることができる。
【０００７】
さらに本発明のメモリ状態通知プログラムにおいては、情報処理装置に対して、データを記憶するメモリの使用状態を検出する検出ステップと、当該検出ステップにより使用状態が未使用状態であることを検出したとき、メモリが全容量分残っていることを通知する通知ステップとを実行させることにより、メモリが僅かにでも使用されていて全容量は残っていないのか、或いはメモリが一切使用されておらず完全に全容量が残っているのかをユーザに対して正確に認識させることができる。
【０００８】
さらに本発明のグラフィカルユーザインタフェースにおいては、データを記憶するメモリの使用状態が未使用状態であることを検出したとき、メモリが全容量分残っていることを「100%」の文字により表示手段に表示する表示ステップと、メモリが使用中状態であることを検出したとき、「100%」の文字表示から使用割合を示すバー表示に切り換える表示切換ステップとを実行することにより、メモリが一切使用されておらず完全に全容量分残っていることを「100%」の文字表示によりユーザに対して正確かつ瞬時に認識させることができ、メモリが僅かにでも使用されていて全容量は残っていないことをバー表示によりユーザに対して直感的に認識させることができる。
【発明の効果】
【０００９】
本発明によれば、メモリが僅かにでも使用されていて全容量は残っていないのか、或いはメモリが一切使用されておらず完全に全容量が残っているのかをユーザに対して正確に認識させることができ、かくしてメモリ全体が全容量分残っているときにはそのことを正確に認識させ得る情報処理装置、メモリ状態通知方法、メモリ状態通知プログラムを実現することができる。
【００１０】
また本発明によれば、メモリが一切使用されておらず完全に全容量分残っていることを「100%」の文字表示によりユーザに対して正確かつ瞬時に認識させることができ、メモリが僅かにでも使用されていて全容量は残っていないことをバー表示によりユーザに対して直感的に認識させることができ、かくしてメモリ全体が全容量分残っているときにはそのことを正確に認識させ得るグラフィカルユーザインタフェースを実現することができる。
【発明を実施するための最良の形態】
【００１１】
以下、図面について、本発明の一実施の形態を詳述する。
【００１２】
（１）ＩＣレコーダの外観構成
図１に示すようにＩＣ（Integrated Circuit）レコーダ１は、ユーザによって様々な場所に持ち運ばれ、それぞれの場所において周囲の音声（すなわち人の声や楽器の音等）を録音することを前提に構成されている。
【００１３】
この種のＩＣレコーダ１は、筐体２の表面にＬＣＤ（Liquid Crystal Display）３、当該ＬＣＤ３の上部に左チャンネル用のＶＵ（Volume Unit）メーター４及び右チャンネル用のＶＵメーター５、当該ＬＣＤ３の下部に各種操作ボタン群６が設けられている。
【００１４】
操作ボタン群６は、再生ボタン６Ａ、停止ボタン６Ｂ、録音ボタン６Ｃ、一時停止ボタン６Ｄ、早送りボタン６Ｅ、早戻しボタン６Ｆ、メニューボタン６Ｇ、ファイル分割ボタン６Ｈ及び照明ボタン６Ｉを有し、ユーザの押下操作を待ち受ける。
【００１５】
またＩＣレコーダ１は、筐体２の上部に右チャンネル用マイクロホン７及び左チャンネル用マイクロホン８が設けられており、その右チャンネル用マイクロホン７及び左チャンネル用マイクロホン８を保護するため弧状でなる金属製のカバー９及び１０が覆うように設けられている。
【００１６】
さらに筐体２の左側面にはボリューム調整摘み１１が設けられ、右側面には録音レベル調整摘み１２が設けられている。
【００１７】
実際上ＩＣレコーダ１は、音声を例えばサンプリングレートが９６［ｋＨｚ］、量子化ビット数が２４ビットかつステレオ（２チャンネル）、すなわち４．６［Ｍｂｐｓ］といった高ビットレートのデータに符号化して非圧縮のＷＡＶ形式のファイルとして保存することにより、楽器の演奏や人の歌声等のように品質が要求される音声を高音質に録音し得るようになされている。
【００１８】
（２）ＩＣレコーダの回路構成
図２に示すようにＩＣレコーダ１は、制御部２０によって全体を統括制御するようになされている。この制御部２０は、ＣＰＵ(Central Processing Unit)２０Ａを中心に構成されており、図示しないＲＯＭ(Read Only Memory)から読み出した基本プログラムや音声記録プログラム、後述するメモリ状態通知プログラム等の各種プログラムを図示しないＲＡＭ(Random Access Memory)に展開し実行することにより、音声の録音や再生といった各種機能を実現するようになされている。
【００１９】
また制御部２０のＣＰＵ２０Ａは、操作ボタン群６の各種ボタン６Ａ〜６Ｉ（図１）がユーザによって操作されたことを認識すると、当該操作に応じた処理を実行するようになされている。
【００２０】
制御部２０のＣＰＵ２０Ａは、操作ボタン群６の例えば録音ボタン６Ｃ（図１）が押下操作されたことを認識すると、まず日付や時刻等に対応したファイル名でなるＷＡＶ形式の音声ファイルＡＦをフラッシュメモリ２１内に作成すると共に、当該音声ファイルＡＦを開いて音声データを格納できる状態にする。
【００２１】
ちなみにフラッシュメモリ２１は、４［ＧＢ］の記憶容量を有すると共に１０のフォルダが設けられており、制御部２０のＣＰＵ２０Ａは、操作ボタン群６を介した操作によって選択されたいずれか１つのフォルダに音声ファイルＡＦを作成するようになされている。
【００２２】
続いて制御部２０のＣＰＵ２０Ａは、図示しない電力制御部から右チャンネル用マイクロホン７及び左チャンネル用マイクロホン８に対して電力の供給を開始させることにより周囲の音声（すなわち人の声や楽器の音等）を集音してそれぞれ電気信号に変換し、これらをマイクロホンアンプ２２及び２３によってそれぞれ所定レベルの入力音声信号Ｓ１及びＳ２に増幅させ、当該入力音声信号Ｓ１及びＳ２をＡＤ／ＤＡ(Analog to Digital / Digital to Analog)変換回路２４へ供給させるようになされている。
【００２３】
ＡＤ／ＤＡ変換回路２４は、入力音声信号Ｓ１及びＳ２をそれぞれアナログディジタル変換することにより入力音声データＤ１及びＤ２を順次生成し、これらを制御部２０のＤＳＰ(Digital Signal Processor)２０Ｂへ順次供給するようになされている。
【００２４】
制御部２０のＤＳＰ２０Ｂは、入力音声データＤ１及びＤ２を例えば０．５［秒］でなる単位時間毎に区切り、当該時間単位毎に線形符号化処理を施すと共に２チャンネル分のデータを１つにまとめることによりリニアＰＣＭ（Pulse Code Modulation）方式の符号化データＤ３を順次生成し、これらをフラッシュメモリ２１へ順次供給するようになされている。
【００２５】
このとき制御部２０のＣＰＵ２０Ａは、符号化データＤ３をフラッシュメモリ２１の音声ファイルＡＦに順次格納することにより、当該音声ファイルＡＦのファイルサイズを順次増加させながら録音処理を継続するようになされている。
【００２６】
またＡＤ／ＤＡ変換回路２４は、アナログディジタル変換により生成した直後の入力音声データＤ１及びＤ２をディジタルアナログ変換することによりアナログの音声信号Ｓ３及びＳ４を生成し、これらをヘッドホンアンプ２５及び２６によって増幅させた後、ヘッドホン端子１４に接続された外部のヘッドホン４０へ送出することにより、当該ヘッドホン４０を介して現在録音中の音声をユーザに試聴（モニタ）させ得るようになされている。
【００２７】
ちなみに制御部２０のＣＰＵ２０Ａは、操作ボタン群６の停止ボタン６Ｂ（図１）が操作されたことを認識した時点で当該音声ファイルＡＦを閉じ、一連の録音処理を終了するようになされている。
【００２８】
このようにＩＣレコーダ１は、操作ボタン群６の録音ボタン６Ｃが操作されると、周囲から集音した音声を電気信号に変換し、増幅、アナログディジタル変換、符号化等の各種処理を順次施すことにより生成した符号化データＤ３をフラッシュメモリ２１の音声ファイルＡＦに順次格納していくようになされている。
【００２９】
ところでＩＣレコーダ１は、ＵＳＢインタフェース２７を介してパーソナルコンピュータ（図示せず）と接続されることにより、当該パーソナルコンピュータとの間で音声ファイルＡＦの転送を行い得るようになされている。
【００３０】
実際上、制御部２のＣＰＵ２０Ａは、ＵＳＢインタフェース２７がＵＳＢケーブル（図示せず）によりパーソナルコンピュータと接続されたことを認識すると、ＩＣレコーダ１単体で上述した録音処理などを行い得る「単独動作モード」から「ストレージモード」に動作モードを変更することにより、フラッシュメモリ２１を当該パーソナルコンピュータの外部ストレージとして利用できるように、すなわちＯＳ(Operating System)から１つのドライブとして認識され得るようにする。
【００３１】
このときパーソナルコンピュータは、フラッシュメモリ２１に格納されている音声ファイルＡＦを通常のＷＡＶ形式のファイルとして認識することができ、ユーザの操作に基づいて当該音声ファイルＡＦをファイル単位でコピー又は移動したり、あるいは専用の音声編集プログラム等を用いて編集処理を行うことができる。
【００３２】
なお制御部２のＣＰＵ２０Ａは、ＵＳＢインタフェース２７からＵＳＢケーブル（図示せず）が取り外されたことを認識すると、動作モードを「ストレージモード」から「単独動作モード」に戻すことにより、ＩＣレコーダ１単体で上述した録音処理等の各種処理を行い得るようになされている。
【００３３】
このようにＩＣレコーダ１は、ＵＳＢインタフェース２７を介してパーソナルコンピュータと接続された場合、フラッシュメモリ２１を当該パーソナルコンピュータの外部ストレージとして認識させ、音声ファイルＡＦを通常のＷＡＶ形式のファイルとして取り扱わせるようになされている。
【００３４】
ところでＩＣレコーダ１の制御部２０は、例えば図３に示すように、左チャンネル用音量レベル及び右チャンネル用音量レベルを表示するピークレベルメータ表示部７１、録音中であることを示すＲＥＣマーク７２、再生時間、録音経過時間や録音可能残時間等を示す時間表示部７３、メモリスティックの有無及びバッテリー残量を示すアイコン表示部７４、フォルダ番号（この場合「０３」）、ファイル数（この場合「２９／２９」）及びファイル名（この場合「05012403.wav」）を示すファイル表示部７５、サンプリングレート（この場合「96.00kHz」）、量子化ビット数（この場合「２４ビット」）等の詳細情報表示部７６、ＩＣレコーダ１全体のフラッシュメモリ２１に対する使用割合をバーの長さで表したメモリアイコン７７により示すメモリ残容量表示部７８からなる表示画面７０をＬＣＤ３に対して表示することにより、録音レベルや録音経過時間等の録音状態をユーザに目視確認させ得るようになされている。
【００３５】
しかしながらＩＣレコーダ１では、ファイル表示部７５に示したように、フラッシュメモリ２１には複数のフォルダが存在し、かつそのフォルダには複数の音声ファイルＡＦが格納されているため、フラッシュメモリ２１に音声ファイルＡＦが一切格納されておらず、当該フラッシュメモリ２１の容量全部を音声ファイルＡＦの記憶領域として使用することができるか否かをユーザが知るためには全てのフォルダを開いて音声ファイルＡＦの有無を調べなければならない。
【００３６】
そのためユーザは各フォルダを全て開いて音声ファイルＡＦのファイル数を確認するといった煩雑な作業が必要となり、非常に使い勝手が悪い。そこでＩＣレコーダ１では、そのような面倒な作業をユーザに強いることなくフラッシュメモリ２１の全容量を記憶領域として使用可能であるか否かを調べて表示するための機能を搭載しており、その機能をメモリ状態通知プログラムに従って実現するメモリ残容量表示処理手順について次に説明する。
【００３７】
（３）メモリ残容量表示処理手順
次に、ＩＣレコーダ１におけるフラッシュメモリ２１の残容量をユーザに通知するためのメモリ残容量表示処理手順について３通り説明する。
【００３８】
（３−１）第１のメモリ残容量表示処理手順
図４に示すようにＩＣレコーダ１の制御部２０は、ルーチンＲＴ１の開始ステップから入ってステップＳＰ１へ移り、フラッシュメモリ２１における記録可能エリアのサイズを読み取ることによりサイズ情報を取得し、次のステップＳＰ２へ移る。
【００３９】
ステップＳＰ２において制御部２０は、フラッシュメモリ２１における現時点の記録可能エリアが最大であるか否かをステップＳＰ１で取得したサイズ情報に基づいて判定し、肯定結果が得られると次のステップＳＰ３へ移る。
【００４０】
ステップＳＰ３において制御部２０は、フラッシュメモリ２１における現時点の記録可能エリアが最大であることを判定したので、フラッシュメモリ２１には一切音声ファイルＡＦが記憶されておらず未使用状態であると認識し、図５に示すように、そのことを示す「１００％」のメッセージ７９をＬＣＤ３のメモリ残容量表示部７８に文字表示する。
【００４１】
このとき制御部２０は、フラッシュメモリ２１に対する使用割合をバーの長さで表したメモリアイコン７７（図３）ではなく、「１００％」の数字及び文字の組合せからなるメッセージ７９をメモリ残容量表示部７８に表示することにより、アイコン７７（図３）でユーザに通知するよりもフラッシュメモリ２１の残容量を正確かつ一瞬でユーザに認識させ得るようになされている。
【００４２】
これに対してステップＳＰ２で否定結果が得られると、このことはフラッシュメモリ２１における現時点の記録可能エリアが最大ではないこと、すなわちフラッシュメモリ２１が僅かではあっても使用されていることを表しており、このとき制御部２０は次のステップＳＰ４へ移る。
【００４３】
ステップＳＰ４において制御部２０は、フラッシュメモリ２１における現時点の残容量が５分間以下であるか否かを判定する。ここで否定結果が得られると、制御部２０は、フラッシュメモリ２１の残容量が十分にあると判断し、次のステップＳＰ５へ移る。
【００４４】
ステップＳＰ５において制御部２０は、上述の「１００％」のメッセージ７９をメモリ残容量表示部７８に表示する代わりに、フラッシュメモリ２１に対する使用割合をバーの長さで表したメモリアイコン７７（図３）をメモリ残容量表示部７８に表示し、再度ステップＳＰ４へ戻る。
【００４５】
一方ステップＳＰ４で肯定結果が得られると、このことはフラッシュメモリ２１における現時点の残容量が５分間以下であることを表しており、このとき制御部２０は次のステップＳＰ６へ移って、図６に示すように、メモリアイコン７７に代えて５分間以下となる実際の記録可能残時間のメッセージ８０をメモリ残容量表示部７８に表示した後、再度ステップＳＰ４へ戻って上述の処理を繰り返す。
【００４６】
なお制御部２０は、ユーザの操作ボタン群６に対する操作によって音声ファイルＡＦの記録時におけるサンプリングレートや、量子化ビット数を落とすことにより音質の低下を許容したときには、その時点において新たに計算し直した実際の記録可能残時間のメッセージを改めて表示するようになされている。
【００４７】
（３−２）第２のメモリ残容量表示処理手順
図７に示すようにＩＣレコーダ１の制御部２０は、ルーチンＲＴ２の開始ステップから入ってステップＳＰ１１へ移り、ユーザによる操作ボタン群６に対する操作に応じてフラッシュメモリ２１に記録されていた音声ファイルＡＦを消去する等の編集作業を実行し、次のステップＳＰ１２へ移る。
【００４８】
ステップＳＰ１２において制御部２０は、フラッシュメモリ２１における現時点の記録可能エリアが最大であるか否かを判定し、肯定結果が得られると次のステップＳＰ１３へ移る。
【００４９】
ステップＳＰ１３において制御部２０は、フラッシュメモリ２１における現時点の記録可能エリアが最大であることを判定したので、フラッシュメモリ２１には一切音声ファイルＡＦが記憶されておらず未使用状態であると認識し、図５に示したように、そのことを示す「１００％」のメッセージ７９をＬＣＤ３のメモリ残容量表示部７８に文字表示する。
【００５０】
このとき制御部２０は、第１のメモリ残容量表示処理手順（ＲＴ１）と同様に、フラッシュメモリ２１に対する使用割合をバーの長さで表したメモリアイコン７７（図３）ではなく、「１００％」の数字及び文字の組合せからなるメッセージ７９をメモリ残容量表示部７８に表示することにより、アイコン７７（図３）でユーザに通知するよりもフラッシュメモリ２１の残容量を正確かつ一瞬でユーザに認識させ得るようになされている。
【００５１】
これに対してステップＳＰ１２で否定結果が得られると、このことはフラッシュメモリ２１における現時点の記録可能エリアが最大ではないこと、すなわちフラッシュメモリ２１が僅かではあっても使用されていることを表しており、このとき制御部２０は次のステップＳＰ１４へ移る。
【００５２】
ステップＳＰ１４において制御部２０は、フラッシュメモリ２１における現時点の残容量が５分間以下であるか否かを判定する。ここで否定結果が得られると、制御部２０は、フラッシュメモリ２１の残容量が十分にあると判断し、次のステップＳＰ１５へ移る。
【００５３】
ステップＳＰ１５において制御部２０は、上述の「１００％」のメッセージ７９をメモリ残容量表示部７８に表示する代わりに、フラッシュメモリ２１に対する使用割合をバーの長さで表したメモリアイコン７７をメモリ残容量表示部７８に表示し、再度ステップＳＰ１４へ戻る。
【００５４】
一方ステップＳＰ１４で肯定結果が得られると、このことはフラッシュメモリ２１における現時点の残容量が５分間以下であることを表しており、このとき制御部２０は次のステップＳＰ１６へ移って、図６に示したように、メモリアイコン７７に代えて５分間以下となる実際の記録可能残時間のメッセージ８０をメモリ残容量表示部７８に表示した後、再度ステップＳＰ１４へ戻って上述の処理を繰り返す。
【００５５】
この場合も制御部２０は、ユーザの操作ボタン群６に対する操作によって音声ファイルＡＦの記録時におけるサンプリングレートや、量子化ビット数を落とすことにより音質の低下を許容したときには、その時点において新たに計算し直した実際の記録可能残時間のメッセージを改めて表示するようになされている。
【００５６】
（３−３）第３のメモリ残容量表示処理手順
図８に示すようにＩＣレコーダ１の制御部２０は、ルーチンＲＴ３の開始ステップから入ってステップＳＰ２１へ移り、フラッシュメモリ２１に対してフォーマット化を実行することにより当該フラッシュメモリ２１を初期化状態に設定し、次のステップＳＰ２２へ移る。
【００５７】
ステップＳＰ２２において制御部２０は、フラッシュメモリ２１を初期化状態に設定したので現時点においては当該フラッシュメモリ２１の記録可能エリアが最大であるため、「１００％」のメッセージ７９（図３）をＬＣＤ３のメモリ残容量表示部７８に文字表示し、次のステップＳＰ２３へ移って処理を終了する。
【００５８】
（４）動作及び効果
以上の構成において、ＩＣレコーダ１の制御部２０は、フラッシュメモリ２１の容量全部を記憶領域として使用することができる場合には、バー表示によるアイコン７７ではなく「１００％」のメッセージ７９をメモリ残容量表示部７８に表示することにより、アイコン７７ではバー表示として表現し切れない使用割合を数値化して表示することができる分、ユーザには「１００％」のメッセージ表示によりフラッシュメモリ２１に対する使用割合を強いインパクトで正確に認識させることができる。
【００５９】
すなわちＩＣレコーダ１の制御部２０は、「１００％」という視覚的にインパクトのある数字及び文字からなるメッセージ７９を表示することにより、フラッシュメモリ２１に複数のフォルダが設けられていて音声ファイルＡＦが格納されているような場合でも、各フォルダを開いて音声ファイルＡＦを逐次確認することなく、当該フラッシュメモリ２１には一切の音声ファイルＡＦが格納されていない未使用状態にあることを直感的かつ瞬時に認識させることができる。
【００６０】
またＩＣレコーダ１の制御部２０は、フラッシュメモリ２１が少しでも使用されていて、フラッシュメモリ２１の容量全部を記憶領域として使用することができないことを認識したときには、フラッシュメモリ２１に対する使用割合をバーの長さで表したメモリアイコン７７をメモリ残容量表示部７８に表示することにより、バーの長さを注意深く目視確認させなくても、アイコン７７が表示されている以上、フラッシュメモリ２１が未使用状態ではないことを直感的かつ瞬時に認識させることができる。
【００６１】
さらにＩＣレコーダ１の制御部２０は、フラッシュメモリ２１に対する音声ファイルＡＦの書き込み中に、当該フラッシュメモリ２１における現時点の残容量が５分間以下であるときにはメモリアイコン７７に代えて５分間以下となる実際の記録可能残時間のメッセージ８０をメモリ残容量表示部７８に表示することにより、残り何分間だけ記録できるのかを明確な数値としてユーザに認識させることができる。
【００６２】
このようにＩＣレコーダ１の制御部２０は、フラッシュメモリ２１の残容量に応じて「１００％」のメッセージ７９、フラッシュメモリ２１に対する使用割合をバーの長さで表したメモリアイコン７７及び実際の記録可能残時間のメッセージ８０の順番に切り換えて表示することにより、フラッシュメモリ２１が未使用状態であることや当該フラッシュメモリ２１の残容量変化をユーザに対して視覚的かつ容易に認識させることができる。
【００６３】
以上の構成によれば、ＩＣレコーダ１の制御部１０は、フラッシュメモリ２１が僅かにでも使用されていて全容量は残っていないのか、或いはフラッシュメモリ２１が一切使用されておらず完全に全容量が残っているのかを「１００％」のメッセージ７９によりユーザに対して正確に認識させることができるので、フラッシュメモリ２１全体が全容量分残っているときにはそのことを正確に認識させることができる。
【００６４】
（５）他の実施の形態
なお上述の実施の形態においては、フラッシュメモリ２１における記録可能エリアが最大であるとき「１００％」のメッセージ７９を表示し、その次にアイコン７７を表示し、フラッシュメモリ２１における現時点の残容量が５分間以下になると実際の記録可能残時間のメッセージ８０を順次切り換えて表示するようにした場合について述べたが、本発明はこれに限らず、図９に示すように、フラッシュメモリ２１の記憶領域を半分使用している場合には、フラッシュメモリ２１に対する使用割合が半分であることを「５０％」のメッセージ９１、バーの長さが半分のアイコン９２及び残り３０分の記録可能残時間のメッセージ９３をメモリ残容量表示部７８に全て同時に表示するようにしても良い。
【００６５】
また上述の実施の形態においては、フラッシュメモリ２１における記録可能エリアが最大であるとき「１００％」のメッセージ７９を表示し、フラッシュメモリ２１が僅かにでも使用されていて全容量は残っていないときにはアイコン７７を表示するようにした場合について述べたが、本発明はこれに限らず、アイコン７７ではなく残容量に応じた「ｎ％」のメッセージを表示するようにしても良い。
【００６６】
さらに上述の実施の形態においては、フラッシュメモリ２１における現時点の残容量が５分間以下になると実際の記録可能残時間のメッセージ８０を表示するようにした場合について述べたが、本発明はこれに限らず、図１０に示すように、メモリアイコン７７に加えて、ユーザからの操作ボタン群６に対する操作に応じて残容量が５分間を越えるときの記録可能残時間（例えば「−１２ｈ３４ｍ５６ｓ」）を時間表示部７３に表示するようにしても良い。
【００６７】
さらに上述の実施の形態においては、フラッシュメモリ２１における記録可能エリアが最大であるとき「１００％」のメッセージ７９を表示することによりユーザに通知するようにした場合について述べたが、本発明はこれに限らず、「Ｆｕｌｌ」のメッセージを表示することによりユーザに通知したり、ＬＥＤ(Light Emitting Diode)を発光させることによりユーザに通知したり、ブザーを鳴らすことによりユーザに通知したり、或いはバイブレータを振動させることによりユーザに通知する等の視覚、聴覚又は触感を通じてユーザに通知するようにしても良い。
【００６８】
さらに上述の実施の形態においては、フラッシュメモリ２１における現時点の残容量が５分間以下になると実際の記録可能残時間のメッセージ８０を表示するようにした場合について述べたが、本発明はこれに限らず、記録可能残時間が完全に無くなったときには「Ｅｍｐｔｙ」のメッセージを表示するようにしてもよい。
【００６９】
さらに上述の実施の形態においては、ＩＣレコーダ１の制御部２０がメモリ状態通知プログラムに従ってルーチンＲＴ１における第１のメモリ残容量表示処理手順（図４）、ルーチンＲＴ２における第２のメモリ残容量表示処理手順（図７）、ルーチンＲＴ３における第３のメモリ残容量表示処理手順（図８）を実行するようにした場合について述べたが、本発明はこれに限らず、当該メモリ状態通知プログラムが格納されたＣＤ−ＲＯＭ(Compact Disc-Read Only Memory)、ＤＶＤ−ＲＯＭ(Digital Versatile Disc-Read Only Memory)、半導体メモリ等の種々の記憶媒体を介してＩＣレコーダ１に当該メモリ状態通知プログラムをインストールして上述のメモリ残容量表示処理手順を実行するようにしても良い。
【００７０】
さらに上述の実施の形態においては、メモリとしてのフラッシュメモリ２１と、検出手段としての制御部２０、通知手段としての制御部２０及びＬＣＤ３によって本発明の情報処理装置としてのＩＣレコーダ１を構成するようにした場合について述べたが、本発明はこれに限らず、その他種々のメモリ、検出手段及び通知手段によって本発明の情報処理装置を構成するようにしてもよい。
【産業上の利用可能性】
【００７１】
本発明の情報処理装置は、例えば携帯型ＣＤ(Compact Disc)プレーヤ、携帯型ＤＶＤ(Digital Versatile Disc)プレーヤ、携帯電話機、ＰＤＡ(Personal Digital Assistant)等のメモリに対する使用状態を検出して通知可能な種々の情報処理装置に適用することができる。
【図面の簡単な説明】
【００７２】
【図１】ＩＣレコーダの概観構成を示す略線的斜視図である。
【図２】ＩＣレコーダの回路構成を示す略線的ブロック図である。
【図３】表示内容の説明に供する略線図である。
【図４】第１のメモリ残容量表示処理手順を示すフローチャートである。
【図５】未使用状態の表示内容を示す略線図である。
【図６】記録可能残時間表示状態を示す略線図である。
【図７】第２のメモリ残容量表示処理手順を示すフローチャートである。
【図８】第３のメモリ残容量表示処理手順を示すフローチャートである。
【図９】他の実施の形態における表示内容の説明に供する略線図である。
【図１０】他の実施の形態における表示方法を示す略線図である。
【符号の説明】
【００７３】
１……ＩＣレコーダ、２……筐体、３……ＬＣＤ、４……ＶＵメータ、６……操作ボタン群、７……右チャンネル用マイクロホン、８……左チャンネル用マイクロホン、２０……制御部、２１……フラッシュメモリ、２２、２３……マイクロホンアンプ、２４……ＡＤ／ＤＡ変換回路、２７……ＵＳＢインタフェース、７０……表示画面、７７……メモリアイコン、７８……メモリ残容量表示部、７９、８０……メッセージ。
【図１】
2007025824.tif 000003
【図２】
2007025824.tif 000004
【図３】
2007025824.tif 000005
【図４】
2007025824.tif 000006
【図５】
2007025824.tif 000007
【図６】
2007025824.tif 000008
【図７】
2007025824.tif 000009
【図８】
2007025824.tif 000010
【図９】
2007025824.tif 000011
【図１０】
2007025824.tif 000012